(57)【要約】【課題】基点の設定が容易かつ任意にできるとともに、この基点に対する測点の二次元直角座標を表示することにより、この基点から測点までの距離が一見して把握できるマップシステムを提供することにある。【解決手段】地図送信サーバ２から、インターネット３を介して地図表示装置１に、所望の地図データを送信するとともに、この地図上のある地点を測点ＭＰとして、この測点ＭＰの二次元直角座標（Ｘ、Ｙ）をディスプレイ１１に表示する。この二次元直角座標（Ｘ、Ｙ）は、基点ＢＰ及び測点ＭＰの緯度・経度情報から、距離ｒと方位角θを算出するあるいは、基点ＢＰ及び測点ＭＰの緯度・経度から平面直角座標（Ｘ０、Ｙ０）、（Ｘｒ、Ｙｒ）をそれぞれ求め、その差を求めることにより算出する。【選択図】図３
2007034214.tif 000002
【特許請求の範囲】
【請求項１】
地図送信サーバからインターネット等の公衆回線網を介して地図表示装置に地図データを送信するとともに、この送信された地図データに対応する地図を上記地図表示装置に表示させ、かつこの地図上のある地点の二次元直角座標（Ｘ、Ｙ）を上記地図表示装置に表示させるマップシステムであって、
上記地図送信サーバは、
上記地図表示装置に送信する地図データを蓄積した地図データベースと、
少なくとも、上記ある地点の緯度・経度情報を蓄積した地点情報データベースと、
上記地図表示装置からの要求信号を受信し、所望の地図データを上記地図表示装置に対し送信する送受信手段とを有し、
上記地図表示装置は、
上記送受信手段により送信された地図データに対応する地図を表示させる表示手段と、
上記地点情報データベースに緯度・経度情報が蓄積され、かつ上記表示手段により表示された地図上のある地点のうち、１点を基点として選択可能な基点選択手段と、
上記地点情報データベースに緯度・経度情報が蓄積され、かつ上記基点以外の上記地図上のある地点を、上記基点に対する測点として選択可能な測点選択手段とを有し、
更に、上記地図送信サーバは、
上記基点選択手段により選択された基点を原点とし、上記測点選択手段により選択された測点の上記基点に対する二次元直角座標（Ｘ、Ｙ）を算出する算出手段を有するともに、
上記算出手段は、
上記基点の緯度・経度情報と上記測点の緯度・経度情報とから、上記基点と上記測点との距離ｒと、上記基点における上記測点の方位角θとを算出することにより、上記二次元直角座標（Ｘ、Ｙ）を算出し、
上記送受信手段は、
上記算出手段により算出された二次元直角座標（Ｘ、Ｙ）を上記地図表示装置に送信し、
上記表示手段は、
上記算出手段により算出された二次元直角座標を表示すること
を特徴とするマップシステム。
【請求項２】
地図送信サーバからインターネット等の公衆回線網を介して地図表示装置に地図データを送信するとともに、この送信された地図データに対応する地図を上記地図表示装置に表示させ、かつこの地図上のある地点の二次元直角座標（Ｘ、Ｙ）を上記地図表示装置に表示させるマップシステムであって、
上記地図送信サーバは、
上記地図表示装置に送信する地図データを蓄積した地図データベースと、
少なくとも、上記ある地点の緯度・経度情報を蓄積した地点情報データベースと、
上記地図表示装置からの要求信号を受信し、所望の地図データを上記地図表示装置に対し送信する送受信手段とを有し、
上記地図表示装置は、
上記送受信手段により送信された地図データに対応する地図を表示させる表示手段と、
上記地点情報データベースに緯度・経度情報が蓄積され、かつ上記表示手段により表示された地図上のある地点のうち、１点を基点として選択可能な基点選択手段と、
上記地点情報データベースに緯度・経度情報が蓄積され、かつ上記基点以外の上記地図上のある地点を、上記基点に対する測点として選択可能な測点選択手段とを有し、
更に、上記地図送信サーバは、
上記基点選択手段により選択された基点を原点とし、上記測点選択手段により選択された測点の上記基点に対する二次元直角座標（Ｘ、Ｙ）を算出する算出手段を有するともに、
上記算出手段は、
上記基点の緯度・経度情報から上記基点の平面直角座標（Ｘ０、Ｙ０）を算出し、上記測点の緯度・経度情報から上記測点の平面直角座標（Ｘｒ、Ｙｒ）を算出するとともに、Ｘ座標、Ｙ座標のそれぞれの差を算出することにより、上記二次元直角座標（Ｘ、Ｙ）を算出し、
上記送受信手段は、
上記算出手段により算出された二次元直角座標（Ｘ、Ｙ）を上記地図表示装置に送信し、
上記表示手段は、
上記算出手段により算出された二次元直角座標を表示すること
を特徴とするマップシステム。
【請求項３】
上記表示手段は、
上記基点を通る経線をＸ軸とし、他方この基点を通りかつこのＸ軸に直交する緯線をＹ軸とした目盛り付きＸＹ座標軸を表示すること
を特徴とする請求項１あるいは２いずれか１項に記載のマップシステム。
【請求項４】
上記測点選択手段は、
上記地点情報データベースに蓄積され、かつ上記表示手段に表示された地図上のある地点を、上記測点として複数選択可能であること
を特徴とする請求項１乃至３いずれか１項に記載のマップシステム。
【請求項５】
上記二次元直角座標（Ｘ、Ｙ）は、
上記測点の近傍に表示されること
を特徴とする請求項１乃至４いずれか１項に記載のマップシステム。
【請求項６】
上記地点情報データベースは、
上記地図上のある地点の関連情報を蓄積するとともに、
上記表示手段は、
上記関連情報を表示すること
を特徴とする請求項１乃至５いずれか１項に記載のマップシステム。
【請求項７】
地図送信サーバからインターネット等の公衆回線網を介して地図表示装置に地図データを送信するとともに、この送信された地図データに対応する地図を上記地図表示装置に表示させ、かつこの地図上のある地点の二次元直角座標（Ｘ、Ｙ）を上記地図表示装置に表示させるマップシステムであって、
上記地図送信サーバは、
上記地図表示装置に送信する地図データを蓄積した地図データベースと、
少なくとも、上記ある地点の緯度・経度情報を蓄積した地点情報データベースと、
上記地図表示装置からの要求信号を受信し、所望の地図データを上記地図表示装置に対し送信する送受信手段とを有し、
更に、上記マップシステムは、
上記地点情報データベースに緯度・経度情報が蓄積されていない上記地上のある地点であって、かつ、上記地図表示装置に表示されたある地点の緯度・経度情報を受信可能なＧＰＳ受信端末等からなる緯度経度受信端末を有し、
上記緯度経度受信端末は、
上記受信したある地点の緯度・経度情報を上記公衆回線網を介して上記地図送信サーバに送信する緯度経度送信手段を有し、
上記地図表示装置は、
上記送受信手段により送信された地図データに対応する地図を表示させる表示手段と、
上記地点情報データベースに緯度・経度情報が蓄積され、かつ上記表示手段により表示された地図上のある地点を測点として選択可能な測点選択手段とを有し、
上記送受信手段は、
上記緯度経度送信手段により送信されたある地点の緯度・経度情報を受信し、
更に、上記地図送信サーバは、
上記受信手段により緯度・経度情報を受信したある地点を基点とし、この基点を原点とする上記測点の二次元直角座標（Ｘ、Ｙ）を算出する算出手段を有するともに、
上記算出手段は、
上記基点の緯度・経度情報と上記測点の緯度・経度情報とから、上記基点と上記測点との距離ｒと、上記基点における上記測点の方位角θとを算出することにより、上記二次元直角座標（Ｘ、Ｙ）を算出し、
上記送受信手段は、
上記算出手段により算出された二次元直角座標（Ｘ、Ｙ）を上記地図表示装置に送信し、
上記表示手段は、
上記算出手段により算出された二次元直角座標を表示すること
を特徴とするマップシステム。
【請求項８】
上記請求項１乃至７いずれか１項に記載のマップシステムにおいて、
更に、上記測点の二次元直角座標が表示された地図を印刷する印刷手段を有すること
を特徴とするマップシステム。
【発明の詳細な説明】
【技術分野】
【０００１】
本発明は、基点を任意に選択可能であるとともに、この基点に対する測点の二次元直角座標（Ｘ、Ｙ）表示が可能なマップシステムに関する。
【背景技術】
【０００２】
従来から、種々の座標系を用いて平面地図が作成されている。代表的な座標系としてＵＴＭ座標系や平面直角座標系がある。ＵＴＭ座標系は、地球楕円面を経度６度毎の経線により楕円面を南北に輪切りにして、経度差の等しい６０のゾーンに分割したもので、各ゾーンの原点は、赤道と中央経線の交点とし、赤道を横軸、中央経線を縦軸にしたものである。一方、平面直角座標系は、北方領土を除く我が国の国土を１９の座標系に分け、それぞれに原点を設定し、この原点を通る子午線をＸ軸（縦軸）、原点を通りＸ軸に直交する線をＹ軸（横軸）としたものである。
【０００３】
このように、従来の地図は、予め設定された原点に基づいて作成されており、また、この原点に基づいて各地の座標も設定されていた。その為、特に、市町村単位や自治会単位等の地域地図を作成する場合、例えば、任意に基点を設定し、この基点に基づいて地図上の学校、病院、お店等のランドマーク等を含む各地点の座標表示を行いたい場合には、実際に人が現地に出向いて測量を行わなければならず、コストが掛かり、多大な労力も要するものであった（例えば、特許文献１）。
【０００４】
他方、近年、地図上の各地点の位置を表示するものとして、座標表示ではなく緯度・経度表示を行うものもある。例えば、ＧＰＳ衛星を利用して現在地点の緯度・経度情報を受信し、ＧＰＳレシーバに表示するというものがある。しかしながら、この緯度・経度は、○○度○○分○○秒や○○°○○’○○”等、角度で表わされるものなので、基点から測点までの距離を一見して把握することが出来なかった。
【０００５】
【特許文献１】実用新案登録公報第２５７９７７１号
【発明の開示】
【発明が解決しようとする課題】
【０００６】
本発明は、上記事情に鑑みてなされたものであり、その目的とするところは、基点の設定が容易かつ任意にできるとともに、この基点に対する測点の二次元直角座標を表示することにより、この基点から測点までの距離を一見して把握できるようにしたマップシステムを提供することにある。
【課題を解決するための手段】
【０００７】
本発明は、上記課題を解決するために、地図送信サーバからインターネット等の公衆回線網を介して地図表示装置に地図データを送信するとともに、この送信された地図データに対応する地図を上記地図表示装置に表示させ、かつこの地図上のある地点の二次元直角座標（Ｘ、Ｙ）を上記地図表示装置に表示させるマップシステムであって、上記地図送信サーバは、上記地図表示装置に送信する地図データを蓄積した地図データベースと、少なくとも、上記ある地点の緯度・経度情報を蓄積した地点情報データベースと、上記地図表示装置からの要求信号を受信し、所望の地図データを上記地図表示装置に対し送信する送受信手段とを有し、上記地図表示装置は、上記送受信手段により送信された地図データに対応する地図を表示させる表示手段と、上記地点情報データベースに緯度・経度情報が蓄積され、かつ上記表示手段により表示された地図上のある地点のうち、１点を基点として選択可能な基点選択手段と、上記地点情報データベースに緯度・経度情報が蓄積され、かつ上記基点以外の上記地図上のある地点を、上記基点に対する測点として選択可能な測点選択手段とを有し、更に、上記地図送信サーバは、上記基点選択手段により選択された基点を原点とし、上記測点選択手段により選択された測点の上記基点に対する二次元直角座標（Ｘ、Ｙ）を算出する算出手段を有するともに、上記算出手段は、上記基点の緯度・経度情報と上記測点の緯度・経度情報とから、上記基点と上記測点との距離ｒと、上記基点における上記測点の方位角θとを算出することにより、上記二次元直角座標（Ｘ、Ｙ）を算出し、上記送受信手段は、上記算出手段により算出された二次元直角座標（Ｘ、Ｙ）を上記地図表示装置に送信し、上記表示手段は、上記算出手段により算出された二次元直角座標を表示することを特徴とする。
【０００８】
この二次元直角座標（Ｘ、Ｙ）は、平面直角座標系と同様に、基点を原点として、この基点を通る径線（子午線）をＸ軸とし、基点を通りかつこのＸ軸に直交する線（緯線）をＹ軸にとった場合のＸＹ座標を表すものである。また、二次元直角座標（Ｘ、Ｙ）は、表示手段に表示される地図の範囲（例えば、県単位、市単位、村単位等）に応じて、適宜縮尺率を乗算して表示されるようにする。例えば、距離ｒをｍ単位で算出し、二次元直角座標（Ｘ、Ｙ）を１０ｍ単位で表示するのであれば、距離ｒから算出された値に１／１０を乗じた値を表示するようにする。ここで言う、方位角θは、Ｘ軸を基準として時計回りに測点の方向を測定した水平角である。また、二次元直角座標（Ｘ、Ｙ）は、真北及び真東を正として、例えば、Ｘ＝ｒＣＯＳθ、Ｙ＝ｒＳＩＮθで算出され、算出の結果、負の値となる場合は、補正手段を講じ正の値になるようにして表示される。距離ｒと方位角θは、例えば、「TOTAL INVERSE SOLUTIONS FOR THE GEODESIC AND GREAT ELLIPTIC  B.R.Bowring  Survey Review, 33, 261 (July 1996) 461-476」の文献記載の方法を用いて算出する。
【０００９】
また、本発明は、地図送信サーバからインターネット等の公衆回線網を介して地図表示装置に地図データを送信するとともに、この送信された地図データに対応する地図を上記地図表示装置に表示させ、かつこの地図上のある地点の二次元直角座標（Ｘ、Ｙ）を上記地図表示装置に表示させるマップシステムであって、上記地図送信サーバは、上記地図表示装置に送信する地図データを蓄積した地図データベースと、少なくとも、上記ある地点の緯度・経度情報を蓄積した地点情報データベースと、上記地図表示装置からの要求信号を受信し、所望の地図データを上記地図表示装置に対し送信する送受信手段とを有し、上記地図表示装置は、上記送受信手段により送信された地図データに対応する地図を表示させる表示手段と、上記地点情報データベースに緯度・経度情報が蓄積され、かつ上記表示手段により表示された地図上のある地点のうち、１点を基点として選択可能な基点選択手段と、上記地点情報データベースに緯度・経度情報が蓄積され、かつ上記基点以外の上記地図上のある地点を、上記基点に対する測点として選択可能な測点選択手段とを有し、更に、上記地図送信サーバは、上記基点選択手段により選択された基点を原点とし、上記測点選択手段により選択された測点の上記基点に対する二次元直角座標（Ｘ、Ｙ）を算出する算出手段を有するともに、上記算出手段は、上記基点の緯度・経度情報から上記基点の平面直角座標（Ｘ０、Ｙ０）を算出し、上記測点の緯度・経度情報から上記測点の平面直角座標（Ｘｒ、Ｙｒ）を算出するとともに、Ｘ座標、Ｙ座標のそれぞれの差を算出することにより、上記二次元直角座標（Ｘ、Ｙ）を算出し、上記送受信手段は、上記算出手段により算出された二次元直角座標（Ｘ、Ｙ）を上記地図表示装置に送信し、上記表示手段は、上記算出手段により算出された二次元直角座標を表示することを特徴とする。
【００１０】
ここでは、上記算出方法と異なる算出方法を用いて二次元直角座標（Ｘ、Ｙ）を算出する。すなわち、基点及び測点の緯度・経度から、基点及び測点の平面直角座標を算出し、その後、基点を原点（０、０）として測点の二次元直角座標（Ｘ、Ｙ）を算出する。この方法としては、次の演算式Ｘ＝Ｘｒ−Ｘ０、Ｙ＝Ｙｒ−Ｙ０を求めることにより算出される。
なお、緯度・経度から平面直角座標を求める計算式としては、例えば、国土地理院のホームページhttp://vldb.gsi.go.jp/sokuchi/surveycalc/algorithm/bl2xy/bl2xy.htmを用いればよい。また、地図表示装置は、例えば、デスクトップコンピュータ、ラップトップコンピュータ、あるいはインターネットに接続可能でＷｅｂページ表示機能を有する携帯電話機やＰＤＡで構成される。
【００１１】
また、本発明においては、上記表示手段は、基点を通る経線をＸ軸とし、他方この基点を通りかつこのＸ軸に直交する緯線をＹ軸とした目盛り付きＸＹ座標軸を表示するようにしてもよい。
【００１２】
また、本発明においては、上記測点選択手段は、上記地点情報データベースに蓄積され、かつ上記表示手段に表示された地図上のある地点を、上記測点として複数選択可能に構成してもよい。
【００１３】
また、本発明においては、上記二次元直角座標（Ｘ、Ｙ）は、上記測点の近傍に表示されるようにしてもよい。
【００１４】
また、本発明においては、上記地点情報データベースは、上記地図上のある地点の関連情報を蓄積するとともに、上記表示手段は、上記関連情報を表示するように構成してもよい。
【００１５】
本発明は、地図送信サーバからインターネット等の公衆回線網を介して地図表示装置に地図データを送信するとともに、この送信された地図データに対応する地図を上記地図表示装置に表示させ、かつこの地図上のある地点の二次元直角座標（Ｘ、Ｙ）を上記地図表示装置に表示させるマップシステムであって、上記地図送信サーバは、上記地図表示装置に送信する地図データを蓄積した地図データベースと、少なくとも、上記ある地点の緯度・経度情報を蓄積した地点情報データベースと、上記地図表示装置からの要求信号を受信し、所望の地図データを上記地図表示装置に対し送信する送受信手段とを有し、更に、上記マップシステムは、上記地点情報データベースに緯度・経度情報が蓄積されていない上記地図上のある地点であって、かつ、上記地図表示装置に表示されたある地点の緯度・経度情報を受信可能なＧＰＳ受信端末等からなる緯度経度受信端末を有し、上記緯度経度受信端末は、上記受信したある地点の緯度・経度情報を上記公衆回線網を介して上記地図送信サーバに送信する緯度経度送信手段を有し、上記地図表示装置は、上記送受信手段により送信された地図データに対応する地図を表示させる表示手段と、上記地点情報データベースに緯度・経度情報が蓄積され、かつ上記表示手段により表示された地図上のある地点を測点として選択可能な測点選択手段とを有し、上記送受信手段は、上記緯度経度送信手段により送信されたある地点の緯度・経度情報を受信し、更に、上記地図送信サーバは、上記受信手段により緯度・経度情報を受信したある地点を基点とし、この基点を原点とする上記測点の二次元直角座標（Ｘ、Ｙ）を算出する算出手段を有するともに、上記算出手段は、上記基点の緯度・経度情報と上記測点の緯度・経度情報とから、上記基点と上記測点との距離ｒと、上記基点における上記測点の方位角θとを算出することにより、上記二次元直角座標（Ｘ、Ｙ）を算出し、上記送受信手段は、上記算出手段により算出された二次元直角座標（Ｘ、Ｙ）を上記地図表示装置に送信し、上記表示手段は、上記算出手段により算出された二次元直角座標を表示することを特徴とする。
【００１６】
また、本発明において、測点の二次元直角座標が表示された地図を印刷する印刷手段を有してもよい。
【発明の効果】
【００１７】
上述した構成から明らかなように、本発明に係るマップシステムによれば、地図表示装置、インターネット、地図送信サーバ等を用いて基点を任意に選択し、この基点に対する測点の二次元直角座標（Ｘ、Ｙ）を表示した地図を提供することが可能であることから、基点を決めるためにわざわざ人が測量する必要はなく、コストも労力も削減でき、かつ、基点から測点までの距離を一見して把握できるので使い勝手もよい。
【００１８】
また、本発明は、基点の緯度・経度情報をＧＰＳ受信端末により受信するようにしたので、リアルタイムに基点の緯度・経度情報を受信することが可能となる。従って、例えば、まだ地点情報データベースに蓄積されていない地点（マンション）であって、このマンションを販売するための地図を不動産屋が作成する場合には、マンションがある現地に行って、簡単にマンションの周辺状況が分かる販売地図が作成することができ、地図作成のコストも削減できる。
【発明を実施するための最良の形態】
【００１９】
以下、本発明を実施するための最良の形態について、添付した図面を参照しながら説明する。図１は、本発明の第１の実施形態に係るマップシステムの構成図、図２は、地点情報データベースに蓄積された情報の一例を示す図、図３は、算出手段の算出方法の一例を示す概念図である。
【００２０】
図１においては、地図表示装置１と地図送信サーバ２とがインターネット３を介して接続されている。
【００２１】
地図表示装置１は、ラップトップ型コンピュータ、デスクトップ型コンピュータ等からなり、液晶パネルやＣＲＴディスプレイ等からなる表示手段（以下「ディスプレイ」と言う。）１１を有するとともに、マウス、タブレット等からなるポインティングデバイス１２（以下「マウス」として説明する。）を備えている。また、ディスプレイ１１は、カーソル１３（図６参照）を表示可能であり、マウス１２を移動させることにより、このカーソル１３が連動してディスプレイ１１上を移動する。
【００２２】
また、地図表示装置１は、地図送信サーバ２からインターネット３を介して配信される後述の地図情報Ｗｅｂページを閲覧するためのソフト、例えば、「Iｎtｅｒｎｅｔ  Ｅｘｐｌｏｒｅｒ」や「Ｎｅｔ  ｓｃａｐｅ  Ｎａｖｉｇａｔｏｒ」等からなるＷｅｂブラウザを備えており、ディスプレイ１１にこの地図情報Ｗｅｂページを表示可能に構成されている。なお、本実施形態においては、この地図表示装置１にはプリンタＰＲがＬＡＮ等により接続されており、地図表示装置１に表示された地図がプリント可能に構成されている。
【００２３】
地図送信サーバ２は、地図表示装置１に対し送信する地図が蓄積された地図データベース２１と、この送信された地図上のある地点の地点情報が蓄積された地点情報データベース２２とを有し、その他にも、検索手段２３、算出手段２４、制御手段２５及び送受信手段２６を備えている。
【００２４】
地図データベース２１には、例えば、日本全国地図、県単位の地図、市単位の地図等種々の地図が蓄積されており、後述するように地図表示装置１からの要求信号を受信することにより、所望の地図が取り出し可能に構成されている。
【００２５】
地点情報データベース２２には、地図表示装置１からの要求により取り出され、ディスプレイ１１に表示された地図上のある地点に関する情報が蓄積されている。例えば、図２に示すように、各地点ごとに、地点の緯度及び経度が蓄積されており、これに関連づけられて、地点の名称、緯度及び経度、電話番号、住所及び営業時間や空き部屋情報等の付随情報が、各地点の関連情報として蓄積されている。更に、それぞれの地点には識別ＩＤとなる登録ＮＯ．１〜ｎが関連付けられて蓄積されている。この地点情報データベース２２へ地点情報を蓄積させる方法としては、例えば、地図送信サーバ２から地点情報登録用のＷｅｂページを提供し、予め決められた登録用フォームに必要項目を書き込んだ後、マウス等を用いて送信操作をすると、インターネット３を介して地図送信サーバ２がこれを受信し、これを地点情報データベース２２に送り、地点情報データベース２２が各地点毎、項目毎に分類して蓄積するようにしておけばよい。このような構成にしておけば、地点情報の更新が容易に行える。
【００２６】
なお、この地点情報データベース２２に蓄積されたデータは、地図データベース２１に蓄積された地図上の各地点に、例えば、ＧＩＳ（Ｇｅｏｇｒａｐｈｉｃａｌ  Ｉｎｆｏｒｍａｔｉｏｎ  Ｓｙｓｔｅｍ）ソフトを用いて関連付けされるように構成されていてもよい。
【００２７】
検索手段２３は、後述するように地図表示装置１から所望の地図の要求信号を送受信手段２６を介して受けると、地図データベース２１の中から要求された地図を検索し、検索された地図データを制御手段２５に渡すように構成されている。また、検索手段２３は、後述するように地図表示装置１により基点及び測点が選択され、この選択された基点及び測点の緯度・経度情報の検索要求信号を受けると、該当する基点の緯度・経度データと、該当する測点の緯度・経度データとを算出手段２４に渡す一方、この測点の関連情報を制御手段に渡すように構成されている。
【００２８】
算出手段２４は、検索手段２３により渡された基点の緯度・経度データと測点の緯度・経度データとから、基点を原点（０、０）としこれに対する測点の二次元直角座標（Ｘ、Ｙ）を算出して、その結果を制御手段２５に渡すように構成されている。この二次元直角座標（Ｘ、Ｙ）を算出する方法としては、例えば、図３（ａ）に示すように、基点及び測点の緯度・経度から基点―測点間の距離ｒを算出するとともに、方位角θを算出した後、次の演算式Ｘ＝ｒＣＯＳθ、Ｙ＝ｒＳＩＮθを計算することにより算出する方法がある。
【００２９】
その他にも、図３（ｂ）に示すように、基点の緯度・経度情報からこの基点の平面直角座標（Ｘ０、Ｙ０）を算出し、測点の緯度・経度情報から測点の平面直角座標（Ｘｒ、Ｙｒ）を算出するとともに、Ｘ座標、Ｙ座標のそれぞれの差を算出することにより、二次元直角座標（Ｘ、Ｙ）を算出する方法がある。
【００３０】
また、この算出手段２４は、算出された二次元直角座標（Ｘ、Ｙ）から基点を原点としこの基点を通る経線をＸ軸、この基点を通りかつＸ軸に直交する緯線をＹ軸として、北及び東を正方向とするＸＹ座標軸を求める。更に、二次元直角座標（Ｘ、Ｙ）に対応するようにこのＸＹ座標には目盛りが付されて、目盛り付きＸＹ座標軸を生成し、これを目盛り付きＸＹ座標軸表示要求信号として、算出された二次元直角座標（Ｘ、Ｙ）とともに、制御手段２５に渡すように構成されている。
【００３１】
制御手段２５は、算出手段２４により渡された演算結果、すなわち、基点を原点（０、０）とした測点の二次元直角座標（Ｘ、Ｙ）を、検索手段２３により渡された関連情報に関連付けて送受信手段２６に渡すように構成されている。
【００３２】
次に、本発明のマップシステムの動作について説明する。
【００３３】
まず、地図送信サーバ２から地図情報Ｗｅｂページが提供され、この地図情報Ｗｅｂページを使用して、地図表示装置１から地図送信サーバ２に対し所望の地図データの要求信号を送信すると、地図送信サーバ２は、送受信手段２６でこの要求信号を受信し、その後、制御手段２５による制御のもと、検索手段２３が地図データベース２１から該当する地図を検索し、この検索された地図を送受信手段２６を介して地図表示装置１に送信する。このような方法としては、例えば、ちず丸（登録商標）、マピオン（登録商標）等の周知の電子地図検索システムを使用すればよい。
【００３４】
次に、地図表示装置１において、ディスプレイ１１に表示された地図から基点及び測点を選択する。
【００３５】
この選択方法として、例えば、図４、図６、図８に示す方法がある。図４、図６、図８は、いずれも基点及び測点の選択方法の例を示し、ディスプレイ１１における基点・測点の入力画面１１０Ａである。図４は、基点及び測点を文字入力により選択した場合、図６は、基点及び測点をカーソルで選択した場合、図８は、測点を複数選択した場合を示す。
【００３６】
以下、それぞれの選択方法について説明する。
【００３７】
第１の選択方法を図４に示す。まず入力画面１１０Ａの構成について説明する。入力画面１１０Ａは、地図表示部１１１と、基点入力部１１２、測点入力部１１３、換算ボタン１１４、リセットボタン１１５からなる。更に、基点入力部１１２は、上記した地点情報データベース２２の分類項目に対応する項目からなる基点検索分類キー１１２Ａと、文字を入力することにより基点ＢＰを選択する基点文字入力部１１２Ｂとからなる。同様に、測点入力部１１３も、上記した地点情報データベース２２の分類項目に対応する項目からなる測点検索分類キー１１３Ａと、文字を入力することにより測点ＭＰを選択する測点文字入力部１１３Ｂとからなる。また、換算ボタン１１４は、基点入力部１１２及び測点入力部１１３の双方に必要事項を入力した後、マウス１２を操作しカーソル１３を合わせクリック動作することにより、基点情報要求信号、測点情報要求信号が地図送信サーバ２に送信されるように構成されている。なお、リセットボタン１１５は、基点情報等の入力ミスがあった場合に選択すると、入力事項が全てリセットされるように構成されている。
【００３８】
次に、第１の選択方法における基点ＢＰ及び測点ＭＰの選択の具体的な方法について説明する。この第１の選択方法においては、基点ＢＰは、○○不動産（１）であり、基点ＢＰは○○マンション（２）である。まず、マウス１２を操作して、基点検索分類キー１１２Ａの“名称”にチェックを入れ、次に、キーボード等を用いて基点文字入力部１１２Ｂに「○○不動産」なる文字を入力する。次に、測点入力部１１３にも同様の操作をして、測点検索分類キー１１３Ａの住所にチェックを入れ、測点文字入力部１１３Ｂに「○○区○○町○丁目○番地○号」なる文字を入力する。その後、マウス１２を操作して換算ボタン１１４にカーソル１３を合わせた後マウス１２を左クリックする。すると、基点情報要求信号及び測点情報要求信号がインターネット３を介して地図送信サーバ２に送信される。
【００３９】
第２の選択方法を図６に示す。まず構成について説明すると、この入力画面１１０Ａにおいては、上記図４とは異なり、基点入力部１１２、測点入力部１１３のような文字により基点ＢＰ・測点ＭＰを選択する手段を有しておらず、代わりにカーソル１３により基点ＢＰ、測点ＭＰを選択するように構成されている。
【００４０】
次に、第２の選択方法における基点ＢＰ及び測点ＭＰの選択の具体的な方法について説明する。この第２の選択方法においても、第１の選択方法と同様に基点ＢＰを○○不動産（１）、測点ＭＰを○○マンション（２）としている。まず、マウス１２を操作することによりカーソル１３を○○不動産（１）の位置に合わせマウス１２を左クリックする。次にマウス１２を操作しカーソル１３を○○マンション（２）の位置まで移動させ、この位置でマウス１２を左クリックする。その後、上記第１の選択方法と同様にカーソル１３を換算ボタン１１４に移動させ、左クリックする。すると、基点情報要求信号及び測点情報要求信号がインターネット３を介して地図送信サーバ２に送信される。
【００４１】
第３の選択方法を図８に示す。この入力画面１１０Ａでは、基点ＢＰを図６と同様の方法でカーソル１３により選択するが、基点ＢＰの選択の仕方が図６に示すものとは異なる。すなわち、この図８に示す方法においては、まず、基点ＢＰを上記図６に示す方法により選択する。その後、基点ＢＰを含むような位置を始点ＳＰとし、この始点ＳＰでマウス１２をドラッグし、終点ＥＰでマウス１２をドロップさせる。このドラッグの際、測点指定ウィンド１５が形成され、マウス１２をドロップするとこの測点指定ウィンド１５内に含まれ、かつ、地点情報データベース２２に蓄積された地図上の地点が、全て基点ＢＰとして選択されるように構成されている。この図８においては、基点ＢＰとして、○○マンション（２）、○○小学校（３）、○○ストア（４）、○○駅（５）が選択されている。この後の動作は上記第１、２の選択方法と同様である。
【００４２】
次に、上記いずれかの選択方法により基点情報要求信号及び測点情報要求信号が地図送信サーバ２にインターネット３を介して送信されると、地図送信サーバ２では、これら要求信号を送受信手段２６により受信し、これら要求信号を検索手段２３に渡す。その後、検索手段２３は、地点情報データベース２２からこれら要求信号に合致する地点情報を検索し、検索の結果得られた基点情報及び測点情報を送受信手段２６に渡し、送受信手段２６は、これら情報を地図表示装置１に送信する。すると、地図表示装置１は、これら情報を受信し、測点ＭＰの二次元直角座標（Ｘ、Ｙ）をディスプレイ１１に表示する。
【００４３】
このディスプレイ１１の表示の仕方としては、例えば、図５、図７、図９に示す出力画面１１０Ｂのような表示例がある。
【００４４】
図５に示す第１の表示例は、基点ＢＰを○○不動産（１）とし、測点ＭＰを○○マンション（２）とした場合の表示例であり、二次元直角座標（Ｘ、Ｙ）として（１）座標（８２、９０）が地図表示部１１１外に表示されており、その他にも（２）名称、（３）住所（４）付随情報等の○○マンション（２）に関する関連情報が表示されている。この座標（８２、９０）は、「○○マンション（２）は、○○不動産（１）から北に８２ｍ、東に９０ｍ行った場所にある」ということを示す。従って、この地図を見た者は、一見して基点ＢＰから側点ＭＰまでの距離を把握することができる。また、二次元直角座標表示のみでなく、測点ＭＰに関連した情報も表示されるので、この地図を見る者にとっては非常に便利である。
【００４５】
図７に示す第２の表示例においては、第１の表示例と異なり、二次元直角座標（Ｘ、Ｙ）が地図表示部１１１上の測点ＭＰの近傍に表示されるとともに、基点ＢＰを原点とした目盛り付きＸＹ座標軸１４が表示されるように構成されている。この目盛り付きＸＹ座標軸１４は、Ｘ軸の正方向を真北、Ｙ軸の正方向を真東にして表示される。このように目盛り付きＸＹ座標軸１４が表示されるようにすることにより、二次元直角座標表示（Ｘ、Ｙ）が表示されていない地図上の地点においても、基点ＢＰからの距離を把握することが可能となるので使い勝手がよくなる。
【００４６】
図９に示す第３の表示例は、上記第３の選択例のように測点ＭＰが複数選択された場合の表示例であり、基点ＢＰを○○マンション（２）に設定している。この第３の表示例においても、第２の表示例と同様に目盛り付きＸＹ座標軸が地図表示部１１１上に表示されているが、第２の表示例と異なり、測点ＭＰの二次元直角座標（Ｘ、Ｙ）が複数個所の測点ＭＰの近傍に表示されている。また、第１の表示例と同様に、地図表示部１１１外に測点ＭＰの関連情報が表示されているが、測点ＭＰが複数あることからそれぞれの基点ＢＰに対応する測点情報が表示されている。
【００４７】
このように複数の測点ＭＰの二次元直角座標（Ｘ、Ｙ）を表示するようにすれば、この地図を見た者は、一目で複数の測点ＭＰの基点ＢＰからの距離が分かることになるので使い勝手がよくなる。また、この複数の測点ＭＰの関連情報もそれぞれ表示されているので、更に便利である。
【００４８】
以上のような方法で、地図表示装置１には、測点ＭＰの二次元直角座標（Ｘ、Ｙ）が表示された地図が表示され、地図表示装置１においてプリント操作をすることにより、この地図はプリンタＰＲによってプリントされる。
【００４９】
このように本実施形態に係るマップシステムにおいては、測点ＭＰの二次元直角座標（Ｘ、Ｙ）が表示された地図をプリント出来るので、例えば、不動産屋がマンション等の販売のための周辺地図付きのチラシを作成する場合に利用でき、チラシの作成の手間も大幅に削減することができる。
【００５０】
第１の実施形態に係るマップシステムにおいては、地図表示装置、インターネット、地図送信サーバ等を用いて基点ＢＰを任意に選択し、この基点ＢＰに対する測点ＭＰの二次元直角座標（Ｘ、Ｙ）を表示した地図を提供することが可能であることから、基点ＢＰを決めるためにわざわざ人が測量する必要はなく、コストも労力も削減でき、かつ、基点ＢＰから測点ＭＰまでの距離を一見して把握できるので使い勝手もよい。
【００５１】
次に、本発明の第２の実施形態に係るマップシステムについて図１０を用いて説明するが、上記第１の実施形態に係るマップシステムと同様の構成及び動作に関しては、説明を省略する。
【００５２】
この第２の実施形態に係るマップシステムの構成は、上記第１の実施形態に係るマップシステムの構成に、ＧＰＳ衛星４、ＧＰＳ受信端末５、基地局６、携帯電話網７、ゲートウェイ８が追加されたものである。特に、上記第１の実施形態に係るマップシステムとの相違点は、基点ＢＰの緯度・経度情報をＧＰＳ衛星４、ＧＰＳ受信端末５によりリアルタイムに受信し、この受信した基点ＢＰの緯度・経度情報を利用して測点ＭＰの二次元直角座標（Ｘ、Ｙ）を表示可能という点にある。以下、相違点のみ説明する。
【００５３】
図１０に示すように、この第２の実施形態に係るマップシステムは、ＧＰＳ衛星４から緯度・経度情報をＧＰＳ受信端末５により受信し、この受信した緯度・経度情報を基地局６、ゲートウェイ８、インターネット３を介して地図送信サーバ２に送信するよう構成されている。すなわち、第１の実施形態に係るマップシステムと異なり、基点ＢＰの緯度・経度情報は、予め地点情報データベース２２に蓄積されているのではなく、ＧＰＳ受信端末５により受信し地図送信サーバ２に送信されるとする構成である。このＧＰＳ受信端末５は、例えば、ＧＰＳ機能付き携帯電話機等ＧＰＳを使用して、現在位置の緯度・経度を受信できる端末から構成されている。その他にも、その他の衛星測位システム（例えば、ＧＬＯＮＡＳＳ、ＧＡＬＩＬＥＯ等）を用いて現在位置の緯度・経度を受信するような構成であってもよい。また、その他のシステムで、現在位置の緯度・経度情報を受信できるシステムを適用してもよい。
【００５４】
次に、第２の実施形態に係るマップシステムの動作説明をする。以下において、ＧＰＳ受信端末５を所持している地点を基点ＢＰとして説明する。
【００５５】
まず、ＧＰＳ受信端末５を操作することにより、ＧＰＳ衛星４から基点ＢＰの緯度・経度情報を受信するとともに、この受信した基点ＢＰの緯度・経度情報を基地局６、携帯電話網７、ゲートウェイ８、インターネット３を介して地図送信サーバ２に送信する。すると、送受信手段２６が、この基点ＢＰの緯度・経度情報を受信するとともに、図示しないＲＡＭ等からなる一時記憶手段に渡し、この渡された基点ＢＰの緯度・経度情報を一時記憶手段は一時的に記憶する。次に、地図表示装置１より、上記第１の実施形態において説明したいずれかの選択方法で、測点ＭＰが選択され測点情報要求信号が地図送信サーバ２に送信されると、送受信手段２６がこれを受信するとともに、検索手段２３にこの要求信号を渡す。その後、第１の実施形態で説明したのと同様に、検索手段２３が該当する測点情報を地点情報データベース２２から検索し、検索された測点ＭＰの緯度・経度情報を算出手段２４に渡す。すると、算出手段２４は、一時記憶手段から一時的に記憶された基点ＢＰの緯度・経度情報を取り出し、この取り出された基点ＢＰの緯度・経度と測点ＭＰの緯度・経度とから、この基点ＢＰを原点とした測点ＭＰの二次元直角座標（Ｘ、Ｙ）を算出する。この算出方法は、上記第１の実施形態で説明したのと同様の方法を用いればよい。その後の動作は、上記第１の実施形態と同様なので説明は省略する。なお、本実施形態においては、基点ＢＰの緯度・経度情報をＧＰＳ受信端末５において受信するとしたが、測点ＭＰの緯度・経度情報を受信するような構成とすることも可能である。
【００５６】
また、このＧＰＳ受信端末５で受信した基点ＢＰの緯度・経度情報は、一度使用したら一時記憶手段から消去されるような構成とせず、地点情報データベース２２に蓄積されるように構成してもよい。
【００５７】
上記したように、第２の実施形態に係るマップシステムにおいては、上記第１実施形態の奏する効果に加え、次のような効果を奏する。すなわち、基点ＢＰの緯度・経度情報をＧＰＳ受信端末により受信するようにしたので、リアルタイムに基点ＢＰの緯度・経度情報を受信することが可能となる。従って、例えば、まだ地点情報データベースに蓄積されていない地点（マンション）であって、このマンションを販売するための地図を不動産屋が作成する場合には、マンションがある現地に行って、上記第２の実施形態における操作を行えば、簡単にマンションの周辺状況が分かる販売地図が作成することができ、地図作成のコストも削減できる。
【図面の簡単な説明】
【００５８】
【図１】第１の実施形態におけるマップシステムの概略構成図である。
【図２】地点情報データベースに蓄積された地点情報の一例を示す図である。
【図３】算出手段の算出方法の一例を示す図である。
【図４】ディスプレイにおける基点・測点の入力画面の一例を示す図である。
【図５】ディスプレイの測点の二次元直角座標表示の一例を示す図である。
【図６】ディスプレイにおける基点・測点の入力画面の一例を示す図である
【図７】ディスプレイの測点の二次元直角座標表示の一例を示す図である。
【図８】ディスプレイにおける基点・測点の入力画面の一例を示す図である
【図９】ディスプレイの測点の二次元直角座標表示の一例を示す図である。
【図１０】第２の実施形態におけるマップシステムの概略構成図である。
【符号の説明】
【００５９】
１        地図表示装置
１１      ディスプレイ
１２      マウス
１３      カーソル
１４      目盛り付きＸＹ座標軸
１５      測点指定ウィンド
１１０Ａ  入力画面
１１０Ｂ  出力画面
１１１    地図表示部
１１２    基点入力部
１１２Ａ  基点検索分類キー
１１２Ｂ  基点文字入力部
１１３    測点入力部
１１３Ａ  測点検索分類キー
１１３Ｂ  測点文字分類キー
１１４    換算ボタン
１１５    リセットボタン
２        地図送信サーバ
２１      地図データベース
２２      地点情報データベース
２３      検索手段
２４      算出手段
２５      制御手段
２６      送受信手段
３        インターネット
４        ＧＰＳ衛星
５        ＧＰＳ受信端末
６        基地局
７        携帯電話網
８        ゲートウェイ
ＰＲ      プリンタ
ＳＰ      始点  
ＥＰ      終点
【図１】
2007034214.tif 000003
【図２】
2007034214.tif 000004
【図３】
2007034214.tif 000005
【図４】
2007034214.tif 000006
【図５】
2007034214.tif 000007
【図６】
2007034214.tif 000008
【図７】
2007034214.tif 000009
【図８】
2007034214.tif 000010
【図９】
2007034214.tif 000011
【図１０】
2007034214.tif 000012